(57)【要約】【課題】  ディレクトリサービスの検索条件を保管できないことで、複数のユーザーが毎回入力を行わなければいけないため、入力負荷が増える。そのために、入力操作をどのように効率化するかという課題がある。【解決手段】  ディレクトリサービスへの検索が可能な画像処理装置（1001）で、かつディレクトリサービスへの検索条件を入力する検索条件入力手段（S204）と、前記検索条件入力手段によって入力された条件でディレクトリサービスを検索する検索手段（S205）と、前述の検索手段で使用した検索条件を保管する手段(S207)とを有することを特徴とする。【選択図】  図２
2013120576.tif 000002
【特許請求の範囲】
【請求項１】
ディレクトリサービスへの検索が可能な画像処理装置（1001）で、かつディレクトリサービスへの検索条件を入力する検索条件入力手段（S204）と、前記検索条件入力手段によって入力された条件でディレクトリサービスを検索する検索手段（S205）と、前述の検索手段で使用した検索条件を保管する手段(S207)と、を有することを特徴とする画像処理装置（1001）。
【請求項２】
ディレクトリサービスの検索条件の初期設定を保管する手段を有する事を特徴とする請求項１に記載の画像処理装置。
【請求項３】
ディレクトリサービスの検索条件を複数の宛先表に紐づけて保管する事を特徴とする請求項１に記載の画像処理装置。
【発明の詳細な説明】
【技術分野】
【０００１】
本発明は、画像処理装置、その制御方法及びプログラムに関するものである。
【背景技術】
【０００２】
画像処理装置の機能として、ファクスの番号やEメールアドレスの宛先等のユーザ情報をＬＤＡＰ（Lightweight Directory Access Protocol）サーバから取得して使うケースがある。LDAPサーバ等のディレクトリサービスを使うことで、画像処理装置ごとにユーザ情報を管理せずに済むため、管理すべきユーザ情報が多い組織などでは一般に使われるケースも多い。
【先行技術文献】
【特許文献】
【０００３】
【特許文献１】特開２００７−２２８３４６号公報
【発明の概要】
【発明が解決しようとする課題】
【０００４】
特許文献１では、認証データ毎に、ディレクトリサービスに対する過去の検索条件を登録する検索条件リストと、認証データ、および検索条件を使って、アドレス帳データを管理することができた。
【０００５】
しかし、認証データ毎に検索条件を登録した場合、同じような検索条件をユーザ毎に登録するケースも考えられる。そのため、画像形成装置に保管する場合、データ容量が画像形成装置のデータ容量を圧迫する懸念があった。また、特許文献1では、認証データを使用しない場合が考慮されていないため、その際にどのように検索条件を保持するかが課題であった。
【課題を解決するための手段】
【０００６】
ディレクトリサービスへの検索が可能な画像処理装置（1001）で、かつディレクトリサービスへの検索条件を入力する検索条件入力手段（S204）と、前記検索条件入力手段によって入力された条件でディレクトリサービスを検索する検索手段（S205）と、前述の検索手段で使用した検索条件を保管する手段(S207)と、を有することを特徴とする画像処理装置（1001）。
【発明の効果】
【０００７】
本発明では、ディレクトリサービス毎に検索条件の初期値を保管することができる。また、認証データとひもづかない状態でも画像形成装置に検索条件を保管することができる。このため、よりシンプルな操作でディレクトリサービスの検索条件を使うことができる。
【図面の簡単な説明】
【０００８】
【図１】装置ブロック図
【図２】第一の実施例のフローチャート
【図３】ソフトウェア構成図
【図４】検索条件記憶部のテーブル例
【図５】ＬＤＡＰ検索条件の入力画面の一例
【図６】ＬＤＡＰ検索条件の追加メニューの一例
【図７】ＬＤＡＰ検索条件を初期設定に登録する際の画面の一例
【図８】ＬＤＡＰ検索条件を保管する際の画面の一例
【発明を実施するための形態】
【０００９】
以下、本発明を実施するための最良の形態について図面を用いて説明する。
【００１０】
［実施例１］
＜MFPの基本説明＞
図１は、MFP１００１の主要部の構成を示すブロック図である。
【００１１】
MFP１００１はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行なう。それとともに、ＬＡＮ１００６や公衆回線１００８（ＷＡＮ）に接続することによって、画像情報やデバイス情報の入出力を行なうための制御を行なう。
【００１２】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げる。このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００１３】
ＣＰＵ２００１には、システムバス２００７を介して、ＲＯＭ２００３およびＲＡＭ２００２とともに、操作部Ｉ／Ｆ２００６、ネットワークＩ／Ｆ２０１０、モデム２０５０、ＵＳＢ Ｉ／Ｆ２０９６およびイメージバスＩ／Ｆ２００５が接続される。
【００１４】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００１５】
次に、ネットワークＩ／Ｆ２０１０は、ＬＡＮ１００６に接続され、ＬＡＮ１００６を介してＬＡＮ１００６上の各装置との間で情報の入出力を行なう。モデム２０５０は、公衆回線１００８に接続され、公衆回線１００８を介して情報の入出力を行なう。
【００１６】
ＵＳＢ Ｉ／Ｆ２０９６は、ハードキーボード２０９７などのＵＳＢデバイスが接続可能である。ＵＳＢ Ｉ／Ｆ２０９６にＵＳＢデバイスが接続すると、ＵＳＢ Ｉ／Ｆ２０９６はＵＳＢ ｉ／Ｆ規格に従って、接続されたＵＳＢデバイスと通信し、ＵＳＢデバイスの属性を取得し、これをＣＰＵ２００１に通知する。この属性通知をもってＣＰＵ２００１はＵＳＢデバイスが接続または切断したことを検知する。
【００１７】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００１８】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行なう。スキャナ画像処理部２０８０は、入力画像データに対し補正、加工、編集を行なう。プリンタ画像処理部２０９０は、プリント出力画像データに対してプリンタ２０９５に応じた補正、解像度変換などを行なう。画像回転部２０３０は、画像データの回転を行なう。画像圧縮部２０４０は、多値画像データをＪＰＥＧデータに、２値画像データをＪＢＩＧ、ＭＭＲ、ＭＨなどのデータに圧縮するとともに、その伸張処理を行なう。
【００１９】
図2において第一の実施例を説明する。図2に示すフローチャートの各ステップは、図1で示したHDD2004に格納されたプログラムに従って、図1に示したCPU2001によって実行される。CPU2001は、S201において、LDAPサーバの検索条件が保存されているかを判断する。LDAPの検索条件は、一つの宛先表（電話番号、ファックス番号、メール青ドレスなどを一括で管理しているデータ）に対して、複数の検索条件が保管されている場合は、そこから判断する。また、保存されていた場合S202を実行し、それ以外の場合、S204を実行する。
【００２０】
S202において、CPU2001はLDAPサーバの検索条件を選択するかを判断する。もし選択する場合は、S203を実行し、それ以外の場合、Ｓ205を実行する。
【００２１】
S203において、CPU2001はLDAPサーバの検索条件を選択し、画面に表示する。
【００２２】
S204において、CPU2001はLDAPサーバの検索条件を入力する。
【００２３】
S205において、CPU2001はS204で入力された、もしくはS203で選択された検索条件にしたがって、LDAPサーバを検索し、検索結果を画面に表示する。
【００２４】
S206において、CPU2001はS204で入力された、もしくはS203で選択された検索条件をHDD2004に保存するかを判断する。もし保存すると判断した場合は、S207を実行し、その他の場合はS208に移行して、検索条件の保存処理を完了する。
【００２５】
S207において、CPU2001は、検索条件を保存する。この場合、所定の宛先表に紐づける形で検索条件を保管することができる。また、所定の宛先表に紐づけた検索条件であったとしても、別の宛先表に紐づけて管理することも可能である。
【００２６】
図3は、HDD2004の中に存在するアプリケーションプログラムを示すソフトウェア構成図である。
【００２７】
301から303まで、いずれもHDDの中に構成される。検索条件表示部301は、入力された検索条件を表示する。また、検索条件制御部302経由で、検索条件記憶部303から取得された検索条件を表示する。検索条件制御部302は、検索条件記憶部303にデータを保管したり、検索条件記憶部303からデータを取得したりするデータ制御をおこなう。検索条件記憶部303は、検索条件表示部301から入力された検索条件をHDD2004の中に記憶する。
【００２８】
図４は、検索条件記憶部303のテーブル構成の一例である。図4に記載された項目はあくまで一例である。検索条件は個別の検索条件を複数組み合わせて形で記憶することができる。
【００２９】
図４では、識別子としてレコードNoをもち、条件名「条件１」に対して、２つの個別条件を組み合わせて管理されている。まず、「条件No」が1の検索条件は、「名前」が「佐藤」から始まり、「前方部分一致」の検索条件である。次に、「条件No」が2の検索条件は、「Eメール」が「sato」から始まり、「前方部分一致」の検索条件である。この二つは、「OR」、つまり、どちらかが一致すればよい、という関係になっている。
【００３０】
図5は、LDAP検索条件を入力するための画面の表示例である。なお、項目の内容や、表示形式はあくまでも一例である。500はLDAP検索条件の画面である。501は、LDAP検索サーバを指定するためのプルダウンである。502、507は、LDAP検索条件の項目を指定するためのプルダウンである。503、508は、LDAP検索条件の合致条件を指定するためのプルダウンである。504、509は入力した条件を削除するためのボタンである。508,510は、検索条件に合致させたいデータを入力するためのフィールドである。506は505のフィールドに、511は、510のフィールドに対して、それぞれ文字を入力するためのキーボードを表示するためのボタンである。512は、検索条件が2つ以上あった場合に、表示ページを切り替えるためのボタンである。507は複数の検索条件を、「OR」条件で結び付けるように指定するためのボタンで、510は複数の検索条件を「ＡＮＤ」条件で結び付けるように指定するためのボタンである。512は、あらたに検索条件を追加するときに使用するぼたんである。513は、検索条件画面から呼び出し元の画面に戻るためのボタンである。514は、入力された検索条件を使って、LDAPサーバの検索を開始するためのボタンである。515は、検索条件の設定、登録を行う画面に遷移するためのボタンである。
【００３１】
図6のLDAP検索条件登録メニュー600は、LDAP検索条件を登録するための画面を表示する画面の表示例である。なお、項目の内容や、表示形式はあくまでも一例である。601は、LDAP検索条件のデフォルトを設定するためのボタンである。このボタンを押すと、図5で入力したLDAP検索条件をLDAP検索条件のデフォルト値を変更することができる。602は、LDAP検索条件を登録および、参照するためのボタンである。このボタンを押すと、図5で入力したLDAP検索条件を追加、もしくは、既に登録したLDAP検索条件を変更する画面（図8の800）に遷移することができる。また、LDAP検索条件が既に登録されている場合は、その条件を参照して、利用することができる。
【００３２】
図7のLDAP検索条件デフォルト登録画面700は、LDAP検索条件のデフォルト設定を登録を行う画面である。701を押すと、図5で入力されたLDAP検索条件をLDAP検索条件のデフォルトとして登録する。702を押すと、図5で入力されたLDAP検索条件をLDAP検索条件のデフォルトとして登録しない。
【００３３】
図8の画面は、図6のボタン602を押下された後に表示される画面800である。801から809までは、LDAP検索条件を格納するためのボタンである。この画面に遷移してきて、LDAP検索条件が登録されていないボタンを押下して、登録ボタン810を押すと、LDAP検索条件を押下した801から809のいずれかのボタンとして、情報を保管することができる。LDAP検索条件が登録されている801から809のいずれかのボタンを押下して、名称変更ボタン811を押すとボタンの名称を変更することができる。また、LDAP検索条件が登録されている801から809のいずれかのボタンを押下して、削除ボタン812を押下するとボタンの内容を削除することができる。キャンセルボタン813を押すとこの画面を閉じる。OKボタン814を押すとこの画面の情報を保存してこの画面を閉じる。
【００３４】
上記の通り本第１の実施形態によれば、画像処理装置内で入力された検索条件を画面から、認証情報とは紐づけない形で保管できることで、認証管理されていない場合でも、LDAPサーバの検索の入力負荷を軽減し、操作性を向上することができる。
【符号の説明】
【００３５】
１００１  MFP
２０００  コントローラユニット
２０７０  スキャナ
【図１】
2013120576.tif 000003
【図２】
2013120576.tif 000004
【図３】
2013120576.tif 000005
【図４】
2013120576.tif 000006
【図５】
2013120576.tif 000007
【図６】
2013120576.tif 000008
【図７】
2013120576.tif 000009
【図８】
2013120576.tif 000010